【手続補正書】
【提出日】平成16年5月7日(2004.5.7)
【手続補正１】
【補正対象書類名】明細書
【補正対象項目名】特許請求の範囲
【補正方法】変更
【補正の内容】
【特許請求の範囲】
【請求項１】
送信側にも受信側にも働く１対の超音波送受波器（１）（２）を流管（３）の上流と下流に離して設け、流体の流れの中を上流から下流及び下流から上流に超音波の送受を行い、その各向きの到達時間より流速・流量を求める超音波流量計であって、
先ず送信側の送受波器（１又は２）を発信させ、受信側の送受波器（２又は１）の信号を入力する受信波検知部（４）が受信波を検知すると再び送信側の送受波器（１又は２）を発信させることを一定の複数（ｎ）回繰り返すように構成し、
基準クロックを用いて最初の送信から一定の複数（ｎ）回目の受信までの時間を測定することにより、１回分の到達時間を求めるようにしたものにおいて、
第１回目の受信波の検知は、一定の基準レベル（ＶTH）に最初に達した波がゼロレベルを横切るゼロクロス点とし、
第２回目以降の受信波の検知点は、その前回の送信から受信波検知までの時間から一定の時間（α）を減じた時間だけその回の送信から経過した後の最初のゼロクロス点を受信波検知点としたことを特徴とする超音波流量計。
【請求項２】
送信側にも受信側にも働く１対の超音波送受波器（１）（２）を流管（３）の上流と下流に離して設け、流体の流れの中を上流から下流及び下流から上流に超音波の送受を行い、その各向きの到達時間より流速・流量を求める超音波流量計であって、
先ず送信側の送受波器（１又は２）を発信させ、受信側の送受波器（２又は１）の信号を入力する受信波検知部（４）が受信波を検知すると再び送信側の送受波器（１又は２）を発信させることを一定の複数（ｎ）回繰り返すように構成し、
基準クロックを用いて最初の送信から一定の複数（ｎ）回目の受信までの時間を測定することにより、１回分の到達時間を求めるようにしたものにおいて、
受信波の検知は、一定の基準レベル（ＶTH）に最初に達した波がゼロレベルを横切るゼロクロス点とし、
各回の送信から受信波検知までの時間を毎回監視し、これらの時間の隣接する時間同士の差が、一定回数連続して一定時間以下となったとき、受信波を正確に捕らえたと判定して、それ以降の受信波の検知点は、その前回の送信から受信波検知までの時間から一定の時間（α）を減じた時間だけその回の送信から経過した後の最初のゼロクロス点を受信波検知点とし、前記正確にとらえたと判定した送受あるいはその後の任意の送受の送信を第１の送信としたことを特徴とする超音波流量計。
【請求項３】
送信側にも受信側にも働く１対の超音波送受波器（１）（２）を流管（３）の上流と下流に離して設け、流体の流れの中を上流から下流及び下流から上流に超音波の送受を行い、その各向きの到達時間より流速・流量を求める超音波流量計であって、
先ず送信側の送受波器（１又は２）を発信させ、受信側の送受波器（２又は１）の信号を入力する受信波検知部（４）が受信波を検知すると再び送信側の送受波器（１又は２）を発信させることを一定の複数（ｎ）回繰り返すように構成し、
基準クロックを用いて最初の送信から一定の複数（ｎ）回目の受信までの時間を測定することにより、１回分の到達時間を求めるようにしたものにおいて、
受信波の検知は、一定の基準レベル（ＶTH）に最初に達した波がゼロレベルを横切るゼロクロス点とし、
各回の送信から受信波検知までの到達時間を連続して複数回監視し、それら複数回の到達時間のうち一番多くの回数現れた測定値が正しい値と判定し、それ以降、到達時間が前記正しいと判定された値と一致したとき受信波を正確にとらえたと判定し、それ以降の受信波の検知点は、その前回の送信から受信波検知までの時間から一定の時間（α）を減じた時間だけその回の送信から経過した後の最初のゼロクロス点を受信波検知点とし、前記正確にとらえたと判定した送受あるいはその後の任意の送受の送信を第１の送信としたことを特徴とする超音波流量計。
【請求項４】
送信側にも受信側にも働く１対の超音波送受波器（１）（２）を流管（３）の上流と下流に離して設け、流体の流れの中を上流から下流及び下流から上流に超音波の送受を行い、その各向きの到達時間より流速・流量を求める超音波流量計であって、先ず送信側の送受波器（１又は２）を発信させ、受信側の送受波器（２又は１）の信号を入力する受信波検知部（４）が受信波を検知すると再び送信側の送受波器（１又は２）を発信させることを一定の複数（ｎ）回繰り返すように構成し、
基準クロックを用いて最初の送信から一定の複数（ｎ）回目の受信までの時間を測定することにより、１回分の到達時間を求めるようにしたものにおいて、
受信波の検知は、一定の基準レベル（ＶTH）に最初に達した波がゼロレベルを横切るゼロクロス点とし、
各回の送信から受信波検知までの時間を毎回監視し、これらの時間の隣接する時間同士の差が、一定時間以下となったとき、受信波を正確に捕らえたと判定して、それ以降の受信波の検知点は、その前回の送信から受信波検知までの時間から一定の時間（α）を減じた時間だけその回の送信から経過した後の最初のゼロクロス点を受信波検知点とし、前記正確にとらえたと判定した送受あるいはその後の任意の送受の送信を第１の送信としたことを特徴とする超音波流量計。
【請求項５】
前記一定時間が超音波の１周期未満の時間（β）であることを特徴とする請求項２又は４記載の超音波流量計。
【請求項６】
前記一定時間が超音波の半周期程度の値（β）であることを特徴とする請求項２又は４記載の超音波流量計。
【請求項７】
「一定の基準レベル（ＶTH)に最初に達した波」とあるのを「特定の波」に代えたことを特徴とする請求項１，２，３，４，５、又は６記載の超音波流量計。
【請求項８】
「その前回の送信から受信波検知までの時間から一定の時間（α）を減じた時間だけその回の送信から経過した後の最初のゼロクロス点」とあるのを、「その前回の送信から受信検知までの時間だけその回の送信から経過した時点に最も近いゼロクロス点」に代えたことを特徴とする請求項１，２，３，４，５，６又は７記載の超音波流量計。
【請求項９】
前記一定の時間（α）が超音波の周期の半分より短い値であることを特徴とする請求項１，２，３，４，５，６，７又は８記載の超音波流量計。
【手続補正２】
【補正対象書類名】明細書
【補正対象項目名】００４８
【補正方法】変更
【補正の内容】
【００４８】 請求項４の発明は、送信側にも受信側にも働く１対の超音波送受波器（１）（２）を流管（３）の上流と下流に離して設け、流体の流れの中を上流から下流及び下流から上流に超音波の送受を行い、その各向きの到達時間より流速・流量を求める超音波流量計であって、先ず送信側の送受波器（１又は２）を発信させ、受信側の送受波器（２又は１）の信号を入力する受信波検知部（４）が受信波を検知すると再び送信側の送受波器（１又は２）を発信させることを一定の複数（ｎ）回繰り返すように構成し、基準クロックを用いて最初の送信から一定の複数（ｎ）回目の受信までの時間を測定することにより、１回分の到達時間を求めるようにしたものにおいて、受信波の検知は、一定の基準レベル（ＶTH）に最初に達した波がゼロレベルを横切るゼロクロス点とし、各回の送信から受信波検知までの時間を毎回監視し、これらの時間の隣接する時間同士の差が、一定時間以下となったとき、受信波を正確に捕らえたと判定して、それ以降の受信波の検知点は、その前回の送信から受信波検知までの時間から一定の時間（α）を減じた時間だけその回の送信から経過した後の最初のゼロクロス点を受信波検知点とし、前記正確にとらえたと判定した送受あるいはその後の任意の送受の送信を第１の送信としたことを特徴とする超音波流量計である。  請求項５の発明は、請求項２又は４の超音波流量計において、前記一定時間が超音波の１周期未満の時間（β）であることを特徴とするものである。  請求項６の発明は、請求項２又は４の超音波流量計において、前記一定時間が超音波の半周期程度の値（β）であることを特徴とするものである。  また、請求項７の発明は、請求項１，２，３，４，５又は６の超音波流量計において、「一定の基準レベル（ＶTH）に最初に達した波」とあるのを「特定の波」に代えたことを特徴とするものである。  また、請求項８の発明は、請求項１，２，３，４，５，６又は７の超音波流量計において、「その前回の送信から受信波検知までの時間から一定の時間（α）を減じた時間だけその回の送信から経過した後の最初のゼロクロス点」とあるのを、「その前回の送信から受信検知までの時間だけその回の送信から経過した時点に最も近いゼロクロス点」に代えたことを特徴とするものである。  そして、請求項９の発明は、請求項１，２，３，４，５，６，７又は８の超音波流量計において、前記一定の時間（α）が超音波の周期の半分より短い値であることを特徴とするものである。